【事件の表示】
　特許第３３３８８６０号「点描画模様の装飾体」の請求項１ないし５に係る特許に対する特許異議の申立てについて、次のとおり決定する。
【結　論】
　訂正を認める。
　特許第３３３８８６０号の請求項１ないし５に係る特許を維持する。
【理　由】
（１）手続きの経緯
　本件特許第３３３８８６０号の請求項１乃至請求項５係る発明についての出願は、平成８年７月１７日に出願され、平成１４年８月１６日にその特許の設定登録がなされ、その後、中川博之より請求項１乃至請求項５係る発明の特許に対して特許異議の申立てがなされ、取消理由通知がなされ、その指定期間内である平成１５年９月５日に訂正請求（後日取下げ）がなされ、さらに特許異議申立人に対して審尋がなされ、その指定期間内である平成１５年１０月２４日に回答書が提出され、さらに特許権者に対して再度取消理由通知がなされ、その指定期間内である平成１７年６月２９日に訂正請求がなされたものである。
　
（２）訂正の適否についての判断
　ア．特許権者が求めている訂正の内容は、次のとおりである。
　訂正事項ａ：特許請求の範囲の記載を、
「【請求項１】着色又は無着色の透明基板Ｂの表面に透明性を有する印刷インキにより着色又は無着色の透明性を有する多数の独立した凸状集光素Ａが一定の微細なピッチにて規則正しい配列状態に印刷され、該透明基板Ｂの裏面に前記表面の凸状集光素Ａと同形状で同配列状態又は異形状で同配列状態の多数の着色画素Ｃが印刷され、かつ、交差角度により、着色画素Ｃの視認サイズが大幅に変化するように表面の凸状集光素Ａに対し交差角をずらせた位置関係となっており、前記着色画素Ｃが、表面から見て立体感を有する拡大画像として現出し視点を移動させると該拡大画像が揺らぎ感を呈することを特徴とする点描画模様の装飾体。
　【請求項２】着色又は無着色の透明基板Ｂの表面に透明性を有する印刷インキにより着色又は無着色の透明性を有する多数の独立した凸状集光素Ａが一定の微細なピッチにて規則正しい配列状態に印刷され、該透明基板Ｂの裏面に透明性を有する印刷インキにより前記表面の凸状集光素Ａと同形状で同配列状態又は異形状で同配列状態の着色又は無着色の透明性を有する多数の凸状集光素Ａ′が印刷され、かつ、交差角度により、凸状集光素の視認サイズが大幅に変化するように表面の凸状集光素Ａに対し交差角をずらせた位置関係となっており、表裏いずれの面から見ても前記凸状集光素Ａと凸状集光素Ａ′が合成された形態の立体感を有する拡大画像として現出し視点を移動させると該拡大画像が揺らぎ感を呈することを特徴とする点描画模様の装飾体。
　【請求項３】着色又は無着色の透明基板Ｂの表面に透明性を有する印刷インキにより着色又は無着色の透明性を有する多数の独立した凸状集光素Ａが一定の微細なピッチにて規則正しい配列状態に印刷され、別体の透明基板Ｂ′の裏面に前記表面の凸状集光素Ａと同形状で同配列状態又は異形状で同配列状態の多数の着色画素Ｃを規則正しい配列状態に印刷され、かつ、交差角度により、着色画素Ｃの視認サイズが大幅に変化するように前記透明基板Ｂ表面の凸状集光素Ａに対し透明基板Ｂ′裏面の着色画素Ｃの交差角をずらせて透明基板Ｂの裏面と透明基板Ｂ′の表面又は裏面とを重ね合せられた位置関係となっており、前記着色画素Ｃが、表面から見て立体感を有する拡大画像として現出し視点を移動させると該拡大画像が揺らぎ感を呈することを特徴とする点描画模様の装飾体。
　【請求項４】透明又は不透明な基板Ｄの表面に多数の着色画素Ｃが一定の微細なピッチにて規則正しい配列状態に印刷され、その上部に着色又は無着色の透明インキＥが全面印刷され、その上面に透明性を有する印刷インキにより前記着色画素Ｃと同形状で同配列状態又は異形状で同配列状態の透明性を有する多数の凸状集光素Ａが印刷され、かつ、交差角度により、着色画素Ｃの視認サイズが大幅に変化するように前記着色画素Ｃに対し交差角をずらせた位置関係となっており、前記着色画素Ｃが、表面から見て立体感を有する拡大画像として現出し視点を移動させると該拡大画像が揺らぎ感を呈することを特徴とする点描画模様の装飾体。
　【請求項５】凸状集光素Ａが半球状又は円弧状のものである請求項１〜請求項４記載の点描画模様の装飾体。」を、
　「【請求項１】着色又は無着色の透明基板Ｂの表面に透明性を有する印刷インキにより着色又は無着色の透明性を有する多数の独立した凸状集光素Ａが一定の微細なピッチにて規則正しい配列状態に印刷され、該透明基板Ｂの裏面に前記表面の凸状集光素Ａ
と異
り複数の凸状集光素Ａを介して見える複数の着色画素Ｃを組み込んでなる画像の
し、当該画像が着色画素Ｃの拡大画像となるように
の拡大画像が表
　【請求項２】着色又は無着色の透明基板Ｂの表面に透明性を有する印刷インキにより着色又は無着色の透明性を有する多数の独立した凸状集光素Ａが一定の微細なピッチにて規則正しい配列状態に印刷され、該透明基板Ｂの裏面に透明性を有する印刷インキにより前記表面の凸状集光素Ａと同形状で同配列状態又は異形状で同配列状態の着色又は無着色の透明性を有する多数の凸状集光素Ａ′が印刷され、かつ、交差角度によ
り複数の凸状集光素Ａ又は複数の凸状集光素Ａ′を介して見える複数の凸状集光素Ａ′又は複数の凸状集光素Ａを組み込んでなる画像の
し、当該画像が凸状集光素Ａと凸状集光素Ａ′を合成した形態の拡大画像となるように
　【請求項３】着色又は無着色の透明基板Ｂの表面に透明性を有する印刷インキにより着色又は無着色の透明性を有する多数の独立した凸状集光素Ａが一定の微細なピッチにて規則正しい配列状態に印刷され、別体の透明基板Ｂ′の裏面に前記表面の凸状集光素Ａ
と異
り複数の凸状集光素Ａを介して見える複数の着色画素Ｃを組み込んでなる画像の
し、当該画像が該着色画素Ｃの拡大画像となるように
の拡大画像が表
　【請求項４】透明又は不透明な基板Ｄの表面に多数の着色画素Ｃが一定の微細なピッチにて規則正しい配列状態に印刷され、その上部に着色又は無着色の透明インキＥが全面印刷され、その上面に透明性を有する印刷インキにより前記着色画素Ｃと同形状で同配列状態又は異形状で同配列状態の透明性を有する多数の凸状集光素Ａが印刷され、かつ、交差角度によ
り複数の凸状集光素Ａを介して見える複数の着色画素Ｃ
し、当該画像が着色画素Ｃの拡大画像となるように
の拡大画像が表
　【請求項５】凸状集光素Ａが半球状又は円弧状のものである請求項１〜請求項４記載の点描画模様の装飾体。」と訂正する。
　訂正事項ｂ：特許明細書（特許掲載公報）の第２頁第４欄３２〜３４行、及び第３頁第５欄１１〜１２行の「凸状集光素Ａと同形状で同配列状態又は異形状で同配列状態の多数の着色画素Ｃ」を、「凸状集光素Ａ
と異
　訂正事項ｃ：特許明細書（特許掲載公報）の第２頁第４欄３４〜３５行、３頁第５欄１３〜１４行及び３頁第５欄２７〜２９行の「交差角度により、着色画素Ｃの視認サイズが大幅に変化するように」を、「交差角度により複数の凸状集光素Ａを介して見える複数の着色画素Ｃを組み込んでなる画像の視認サイズが大幅に変化し、当該画像が着色画素Ｃの拡大画像となるように」と訂正する。
　訂正事項ｄ：特許明細書（特許掲載公報）の第２頁第４欄３７行及び第３頁第５欄３０行の「前記着色画素Ｃが、」を、「前記着色画素Ｃの拡大画像が、」と訂正する。
　訂正事項ｅ：特許明細書（特許掲載公報）の第２頁第４欄４８〜５０行の「交差角度により、凸状集光素の視認サイズが大幅に変化するように」を、「交差角度により複数の凸状集光素Ａ又は複数の凸状集光素Ａ′を介して見える複数の凸状集光素Ａ′又は複数の凸状集光素Ａを組み込んでなる画像の視認サイズが大幅に変化し、当該画像が凸状集光素Ａと凸状集光素Ａ′を合成した形態の拡大画像となるように」と訂正する。
　
　イ．訂正の目的の適否、新規事項の有無及び特許請求の範囲の拡張・変更の存否
　訂正事項ａのうち、請求項１に関する訂正の内、「凸状集光素Ａと異形状で同配列状態の多数の着色画素Ｃが印刷され」の部分については、本件特許の願書に添付した明細書及び図面の「前記の結果は、集光素Ａとして、透明インキによりドットが３０線で直径２５０μm 、６０線で直径１２０μm 、１２０線で直径６０μm 、高さをそれぞれ３０μm の円形ドットを円弧状に印刷し、画素Ｃとして、それぞれ前記と同じ直径で、高さ３μm の円形ドットを印刷した場合のものについて実験したものであるが、画素を図２の（Ｂ）に示す四角形や図２の（Ｃ）に示す星形にしても同じ傾向を示した。」（段落【００５２】）の記載に基づいて、着色画素Ｃが凸状集光素と異形状のものに限定するものであるから、この部分の訂正は、特許請求の範囲の減縮を目的とするものである。
　その余の部分の訂正については、本件特許の願書に添付した明細書及び図面の「本発明により現出される点描画模様とは、画素Ｃが一色の円形ドットの場合には、一定配列の画素Ｃと一定配列の集光素Ａの交差角のずれにより、大きさ、濃淡が変化し、規則性のある立体感を有する拡大された水玉模様が基板Ｂの上面に現出し、視点を移動させることにより前記拡大された水玉模様が移動して揺らぎ感のある模様となるものである（図５参照）。」（段落【００１３】）の記載、「さらに、基板Ｂの裏面に２種以上の一定配列の画素Ｃを用い、この画素Ｃに対し一定配列の集光素Ａの交差角を変化させて重ねると、画素Ｃを構成する色彩の点模様が交差点を中心として対称的に組み込みまれ、規則正しく配列した縞模様等種々の組み込み点描画となり、しかも、これらの点模様が視野を変えると揺らぎ感を生じる。」（段落【００１４】）の記載、及び表１（段落【００４２】）に基づいて、複数の凸状集光素Ａを介して見える複数の着色画素Ｃの態様を明りょうにするもので、明りょうでない記載の釈明を目的とするものである。
　訂正事項ａのうち、請求項２に関する訂正は、本件特許の願書に添付した明細書及び図面の「本発明により現出される点描画模様とは、画素Ｃが一色の円形ドットの場合には、一定配列の画素Ｃと一定配列の集光素Ａの交差角のずれにより、大きさ、濃淡が変化し、規則性のある立体感を有する拡大された水玉模様が基板Ｂの上面に現出し、視点を移動させることにより前記拡大された水玉模様が移動して揺らぎ感のある模様となるものである（図５参照）。」（段落【００１３】）の記載、「さらに、基板Ｂの裏面に２種以上の一定配列の画素Ｃを用い、この画素Ｃに対し一定配列の集光素Ａの交差角を変化させて重ねると、画素Ｃを構成する色彩の点模様が交差点を中心として対称的に組み込みまれ、規則正しく配列した縞模様等種々の組み込み点描画となり、しかも、これらの点模様が視野を変えると揺らぎ感を生じる。」（段落【００１４】）の記載、及び表１（段落【００４２】）に基づいて、複数の凸状集光素Ａを介して見える複数の着色画素Ｃの態様を明りょうにするもので、明りょうでない記載の釈明を目的とするものである。
　訂正事項ａのうち、請求項３に関する訂正は、上記請求項１についての訂正と同様に、特許請求の範囲の減縮及び明りょうでない記載の釈明を目的とするものである。
　訂正事項ａのうち、請求項４に関する訂正は、上記請求項２についての訂正と同様に、明りょうでない記載の釈明を目的とするものである。
　また、訂正事項ｂ乃至訂正事項ｅは訂正事項ａに伴い、発明の詳細な説明の記載を、請求項１乃至請求項４の記載との整合を図るべく訂正するものであり、明りょうでない記載の釈明を目的とするものである。
　そして、上記訂正は、いずれも特許明細書に記載された事項の範囲内のものであり、新規事項の追加に該当せず、実質的に特許請求の範囲を拡張又は変更するものではない。
　ウ．むすび
　以上のとおりであるから、上記訂正は、特許法第１２０条の４第２項及び同条第３項において準用する特許法第１２６条第２項及び第３項の規定に適合するので、当該訂正を認める。
　
（３）特許異議の申立てについての判断
ア．申立ての理由の概要
　特許異議申立人中川博之は、証拠として、甲第１号証（特願平８−１９６１９号）を提出し、本件特許の請求項１乃至請求項５に係る発明は、本件特許の出願前であって本件特許の出願後に公開された特願平８−１９６１９号（特許掲載公報第２７６１８６１号参照）の願書に最初に添付された明細書または図面に記載された発明と同一であり、しかも、その発明者も出願人も同一でない。従って、本件特許の請求項１乃至請求項５に記載された発明の特許は特許法第２９条の２の規定に違反してなされたものであるから、同法第１１３条第２号に該当し取り消されるべきである、と主張している。
　そして、透明基板の表面に印刷インキにより凸状集光素を印刷することが周知技術であることを立証するために、甲第２号証（特開平５−３０３１５３号公報）、甲第３号証（特開平１−１７８４４３号公報）、甲第４号証（特開平２−１６４７３１号公報）、甲第５号証（特開平２−１６５９３２号公報）、甲第６号証（特開平２−１６５９３３号公報）を提出している。
　また、本件特許の請求項１乃至請求項４に記載中、「交差角度により、・・・視認サイズが大幅に変化するように・・・交差角をずらせた位置関係となっており」との記載は程度が不明確な表現であり、発明の範囲が不明確であるから、特許法第３６条第６項第２号の規定を満たしていない特許出願に対して特許がなされたものであるから、同法第１１３条第４号に該当し取り消されるべきである、と主張している。
　
イ．本件発明
　上記（２）で示したように上記訂正が認められるから、本件特許第３３３８８６０号の請求項１乃至請求項５に係る発明は、上記訂正に係る訂正明細書の特許請求の範囲の請求項1乃至請求項５（以下、「本件発明１」乃至「本件発明５」という。）に記載された事項によって特定される次のとおりのものである。
　「【請求項１】着色又は無着色の透明基板Ｂの表面に透明性を有する印刷インキにより着色又は無着色の透明性を有する多数の独立した凸状集光素Ａが一定の微細なピッチにて規則正しい配列状態に印刷され、該透明基板Ｂの裏面に前記表面の凸状集光素Ａと異形状で同配列状態の多数の着色画素Ｃが印刷され、かつ、交差角度により複数の凸状集光素Ａを介して見える複数の着色画素Ｃを組み込んでなる画像の視認サイズが大幅に変化し、当該画像が着色画素Ｃの拡大画像となるように表面の凸状集光素Ａに対し交差角をずらせた位置関係となっており、前記着色画素Ｃの拡大画像が表面から見て立体感を有する拡大画像として現出し視点を移動させると該拡大画像が揺らぎ感を呈することを特徴とする点描画模様の装飾体。
　【請求項２】着色又は無着色の透明基板Ｂの表面に透明性を有する印刷インキにより着色又は無着色の透明性を有する多数の独立した凸状集光素Ａが一定の微細なピッチにて規則正しい配列状態に印刷され、該透明基板Ｂの裏面に透明性を有する印刷インキにより前記表面の凸状集光素Ａと同形状で同配列状態又は異形状で同配列状態の着色又は無着色の透明性を有する多数の凸状集光素Ａ′が印刷され、かつ、交差角度により複数の凸状集光素Ａ又は複数の凸状集光素Ａ′を介して見える複数の凸状集光素Ａ′又は複数の凸状集光素Ａを組み込んでなる画像の視認サイズが大幅に変化し、当該画像が凸状集光素Ａと凸状集光素Ａ′を合成した形態の拡大画像となるように表面の凸状集光素Ａに対し交差角をずらせた位置関係となっており、表裏いずれの面から見ても前記凸状集光素Ａと凸状集光素Ａ′が合成された形態の立体感を有する拡大画像として現出し視点を移動させると該拡大画像が揺らぎ感を呈することを特徴とする点描画模様の装飾体。
　【請求項３】着色又は無着色の透明基板Ｂの表面に透明性を有する印刷インキにより着色又は無着色の透明性を有する多数の独立した凸状集光素Ａが一定の微細なピッチにて規則正しい配列状態に印刷され、別体の透明基板Ｂ′の裏面に前記表面の凸状集光素Ａと異形状で同配列状態の多数の着色画素Ｃを規則正しい配列状態に印刷され、かつ、交差角度により複数の凸状集光素Ａを介して見える複数の着色画素Ｃを組み込んでなる画像の視認サイズが大幅に変化し、当該画像が該着色画素Ｃの拡大画像となるように前記透明基板Ｂ表面の凸状集光素Ａに対し透明基板Ｂ′裏面の着色画素Ｃの交差角をずらせて透明基板Ｂの裏面と透明基板Ｂ′の表面又は裏面とを重ね合せられた位置関係となっており、前記着色画素Ｃの拡大画像が表面から見て立体感を有する拡大画像として現出し視点を移動させると該拡大画像が揺らぎ感を呈することを特徴とする点描画模様の装飾体。
　【請求項４】透明又は不透明な基板Ｄの表面に多数の着色画素Ｃが一定の微細なピッチにて規則正しい配列状態に印刷され、その上部に着色又は無着色の透明インキＥが全面印刷され、その上面に透明性を有する印刷インキにより前記着色画素Ｃと同形状で同配列状態又は異形状で同配列状態の透明性を有する多数の凸状集光素Ａが印刷され、かつ、交差角度により複数の凸状集光素Ａを介して見える複数の着色画素Ｃの視認サイズが大幅に変化し、当該画像が着色画素Ｃの拡大画像となるように前記着色画素Ｃに対し交差角をずらせた位置関係となっており、前記着色画素Ｃの拡大画像が表面から見て立体感を有する拡大画像として現出し視点を移動させると該拡大画像が揺らぎ感を呈することを特徴とする点描画模様の装飾体。
　【請求項５】凸状集光素Ａが半球状又は円弧状のものである請求項１〜請求項４記載の点描画模様の装飾体。」
　
ウ．引用例等
　特願平８−１９６１９号（特許掲載公報第２７６１８６１号参照）の願書に最初に添付された明細書又は図面（甲第１号証）（以下、「先願明細書」という。）には下記の事項が記載されている。
　（ａ）「【請求項１】透明性シート（１）の表面（２）に、複数の凸レンズ状の突起（２１）を連続した任意のパターンで設けると共に、該シート（１）の裏面（３）に、表面（２）と同じ連続パターンをもつ模様（３１）を、表面（２）の連続パターンに対して変位させて印刷したことを特徴とする装飾シート。
　【請求項２】　透明性シート（１）の裏面（３）側に、さらに透明性の積層シート（４）を貼着し、該積層シート（４）の反貼着面に印刷層（５）を設けた請求項１記載の装飾シート。
　【請求項３】　透明性シート（１）の裏面（３）側に、さらに透明性の積層シート（４）を貼着し、該積層シート（４）の反貼着面に、前記透明性シート（１）の表面（２）と同じ連続パターンをもつ模様（４１）を、前記透明性シート（１）における表面（２）及び裏面（３）に形成した連続パターンに対して変位させて印刷した請求項１記載の装飾シート。
　【請求項４】　透明性シート（１）の裏面（３）側に、さらに透明性の積層シート（４）を貼着し、該積層シート（４）の反貼着面に凹凸模様（６）を設けた請求項１記載の装飾シート。
　【請求項５】　透明性シート（１）の表面（２）に、複数の凸レンズ状の突起（２１）を連続した任意のパターンで設けると共に、該シート（１）の裏面（３）に印刷層（５）を設け、さらに該シート（１）の裏面（３）側に、透明性の積層シート（４）を貼着し、該積層シート（４）の反貼着面に、前記透明性シート（１）の表面（２）と同じ連続パターンをもつ模様（４１）を、前記透明性シート（１）の表面（２）に形成した連続パターンに対して変位させて印刷したことを特徴とする装飾シート。」（特許請求の範囲）。
　（ｂ）「【発明の属する技術分野】本発明は、見る角度によって模様が変化する装飾シートに関する。」（段落【０００１】）。
　（ｃ）「図１は装飾シート１の平面拡大図で、透明な合成樹脂シート１の表面に、複数の凸レンズ状の突起２１を連続した任意のパターン軸（図１における二点鎖線）に沿って亀甲状に設けると共に、該シートの裏面３に、表面２と同じ連続パターン軸をもつドット模様３１を、表面２の連続パターン軸に対し軸方向を変位させて印刷している。前記凸レンズ形状の突起２１としては、半球状のものも含み、また、模様３１は、ドット模様の他、突起２１に対応する多角形状の模様であってもよい。また、突起２１及び模様３１を亀甲状に配設したが、三角形、方形など多角形状に配設してもよい。」（段落【００１６】）。
　（ｄ）「図２に示すように、模様３１と突起２１が完全に重なった突起部分２１１では、どの方向から見ても模様３１を認識できるが、図３に示すように、突起２１と模様３１の重なりが突起２１の約半径分ずれた突起部分２１４においては、Ｙ方向から見る場合には模様３１を認識することができず、また、Ｘ方向から見る場合には、模様３１を認識でき、従って、見る方向によって模様３１が見えたり見えなかったりするのである。さらに、図４に示すように、突起部分２１１からさらに離れた突起部分２１５では、Ｙ方向から模様３１が見えないだけでなく、Ｘ方向からも模様３１を完全には見ることができず、混色効果で淡い色として見える。従って、装飾シート全体としては見る角度によって模様が変化するのである。」（段落【００１８】）。
　（ｅ）「突起２１と模様３１のパターン軸の角度差が小さいほど、突起２１と模様３１の重なり方の異なるものが増加するために、見る角度の変化に対する模様の変化が大きい。」（段落【００１９】）。
　（ｆ）「次に、第２の発明の実施形態を図５に示す。この装飾シートは、第１の発明にかかる装飾シートと同様に、透明な合成樹脂シート１の表面２に、複数の凸レンズ状の突起２１を連続した任意のパターン軸に沿って亀甲状に設けると共に、該シートの裏面３に、表面２と同じ連続パターン軸をもつドット模様３１を、表面２の連続パターン軸に対し軸方向を変位させて印刷している。そして、透明性シート１の裏面３側に、さらに透明性の積層シート４を貼着し、該積層シート４の反貼着面に印刷層５を設けた。」（段落【００２１】）。
　（ｇ）「次に、第４の発明の実施形態を図７に示す。この装飾シートは、第１の発明にかかる装飾シートと同様に、透明な合成樹脂シート１の表面２に、複数の凸レンズ状の突起２１を連続した任意のパターン軸に沿って亀甲状に設けると共に、該シートの裏面３に、表面２と同じ連続パターン軸をもつドット模様３１を、表面２の連続パターン軸に対し軸方向を変位させて印刷している。そして、透明性シート１の裏面３側に、さらに透明性の積層シート４を貼着し、該積層シート４の反貼着面に、凹凸模様６を設けている。」（段落【００２７】）。
　（ｈ）「凹凸模様６は、レンチキラーレンズのように、表面の突起２１と組み合わせてモアレ模様を発現するものであれば、特に限定するものでない。」（段落【００２８】）。
　（ｉ）「この装飾シートは、突起２１と凹凸模様６によって生じるモアレ模様の結像位置と、突起２１と模様３１によって生じる模様の結像位置が異なるので、モアレ模様と模様３１による模様は、異なった平面にあるように見えるので、見る角度を変化させると、モアレによる模様と模様３１による模様との二つの模様が異なった平面で変化しながら移動するように見ることができ、立体感のある装飾性に優れたシートを得ることができる。」（段落【００２９】）。
　（ｊ）「次に、第５の発明の実施形態を図８に示す。この装飾シートは、第１の発明にかかる装飾シートと同様に、透明な合成樹脂シート１の表面２に、複数の凸レンズ状の突起２１を連続した任意のパターン軸に沿って亀甲状に設けると共に、該シートの裏面３に透明な印刷層５を設け、そして、透明性シート１の裏面３側に、さらに透明性の積層シート４を貼着し、該積層シート４の反貼着面に、表面２と同じ連続パターン軸をもつドット模様４１を、表面２の連続パターン軸に対して軸方向を変位させて印刷している。」（段落【００３０】）。
　（ｋ）「実施例１　　０．３mmピッチで直径約０．１５mmの凹部を亀甲模様に配置したエンボスロールを用いて、０．３mm厚の透明性軟質塩化ビニルシート１の表面２に、レンズ状の突起２１を設けると共に、裏面３に前記突起２１と同じパターンで、パターン軸が５°異なる黒色のドット模様３１を亀甲模様に配置して印刷し、本発明の装飾シートを得た。」（段落【００３２】）。
　（ｌ）「実施例２　　０．３３mmピッチで直径約０．１５mmの凹部を亀甲模様に配置したエンボスロールを用いて、０．３mm厚の透明性軟質塩化ビニルシート１の表面２に、レンズ状突起２１を設けると共に、裏面３に前記突起２１と同じパターンで、パターン軸が５°異なる白色のドット模様３１を亀甲配置で印刷した。この透明軟質塩化ビニルシート１に、０．２mm厚の透明軟質塩化ビニルシート４を貼り合わせ、反貼着面に印刷層５を設け、本発明の装飾シートを得た。」（段落【００３４】）。
　（ｍ）「実施例３　　０．３３mmピッチで直径約０．１５mmの凹部を亀甲模様に配置したエンボスロ-ールを用いて、０．２mm厚の透明軟質塩化ビニルシート１の表面２に、レンズ状の突起２１を設けると共に、裏面３に前記突起２１と同じパターンで、パターン軸が３°異なる黄色のドット模様３１を亀甲模様に配置して印刷した。この透明軟質塩化ビニルシート１に、０．２mm厚の透明軟質塩化ビニルシート４を貼り合わせ、反貼着面に前記突起２１のパターン軸に対してパターン軸を１０°異ならしめた前記突起２１と同じパターンの緑色のドット模様４１を印刷した。」（段落【００３６】）。
　（ｎ）「実施例４　　０．３３mmピッチで直径約０．１５mmの凹部を亀甲模様に配置したエンボスロールを用いて、０．４mm厚の透明軟質塩化ビニールシート１の表面２に、レンズ状の突起２１を設けると共に、裏面３に前記突起２１と同じパターンで、パターン軸が３°異なる黄色のドット模様３１を亀甲模様に配置して印刷した。この透明軟質塩化ビニルシート１に、０．２mm厚の透明軟質塩化ビニルシート４を貼り合わせ、反貼着面に０．２mm幅ピッチのレンチキラー状の凹凸模様６を設けた。」（段落【００３８】）。
　（ｏ）「実施例５　　０．３３mmピッチで直径約０．１５mmの凹部を亀甲模様に配置したエンボスロールを用いて、０．２mm厚の透明軟質塩化ビニルシート１の表面２に、レンズ状の突起２１を設けると共に、裏面３に、所定の柄を透明インキを用いて描くことにより印刷層５を設けた。この透明軟質塩化ビニルシート１に、０．２mm厚の透明軟質塩化ビニルシート４を貼り合わせ、反貼着面に前記突起２１のパターン軸に対してパターン軸を１０°異ならしめた前記突起２１と同じパターンの緑色のドット模様４１を印刷した。」（段落【００４０】）。
　
エ．対比・判断
　（１）本件発明１乃至本件発明５と先願明細書に記載された発明とを対比する。
　上記記載（ａ）〜（ｏ）を含む先願明細書の記載からみて、先願明細書に記載された発明においては、記載ｃをも勘案すると、「凸レンズ状の突起２１」と「ドット模様３１」とは共に同形状のものである。
　しかしながら、本件発明１、３、５（請求項１又は３を引用して記載する発明に限る。）においては、「凸状集光素Ａ（凸レンズ状の突起２１）」と「着色画素Ｃ（ドット模様３１）」とは異形状である。
　それ故、先願明細書に記載された発明と本件発明１、３、５（請求項１又は３を引用して記載する発明に限る。）の発明特定事項は相違する。
　
　また、特に記載ｇから把握される先願明細書に記載された発明においては、「レンチキラー状の凹凸模様６」は蒲鉾状であり、「凸レンズ状の突起２１」の設けられた「合成樹脂シート１」の裏面３に印刷されているのは、表面２と同じ連続パターン軸をもつドット模様３１であり、さらにその上から透明性の積層シート４を貼着し、該積層シート４の反貼着面に、レンチキラーレンズ状の凹凸模様６を設けているものである。
　一方、本件発明２、５（請求項２を引用して記載する発明に限る。）における「凸状集光素Ａ′」は、「凸状集光素Ａが一定の微細なピッチにて規則正しい配列状態に印刷された透明基板Ｂの裏面に透明性を有する印刷インキにより前記表面の凸状集光素Ａと同形状で同配列状態又は異形状で同配列状態の着色又は無着色の透明性を有する」ように印刷されているものである。
　それ故、先願明細書に記載された発明と本件発明２、５（請求項２を引用して記載する発明に限る。）の発明特定事項は相違する。
　
　さらに、特に記載ｆから把握される先願明細書に記載された発明においては、「透明性の積層シート４（基板Ｄ）」を「透明性シート１」の「模様３１」が印刷された「裏面３」側に貼着している。これに対して、本件発明４、５（請求項４を引用して記載する発明に限る。）においては、「基板Ｄ」の表面に「画素３１」を印刷し、その上部に「透明インキＥ」を全面印刷し、その上面に「凸状集光素Ａ」を印刷しているものである。
　それ故、先願明細書に記載された発明と本件発明４、５（請求項４を引用して記載する発明に限る。）の発明特定事項は相違する。
　
　したがって、透明基板の表面に印刷インキにより凸状集光素を印刷することが周知技術であるとの異議申立人の主張を検討するまでもなく、本件発明１乃至本件発明５は先願明細書に記載された発明と同一であるとは認められない。
　
（２）本件特許明細書の記載は、上記訂正事項ａ〜ｅにより明確となったから、本件発明１乃至本件発明５に係る特許は、特許法第３６条第６項第２号に規定する要件満たさない特許出願に対してされたものであるとすることができない。
　
オ．むすび
  以上のとおりであるから、特許異議の申立ての理由及び証拠によっては本件請求項１乃至５に係る発明の特許を取り消すことはできない。
　また、他に本件請求項１乃至５に係る発明の特許を取り消すべき理由を発見しない。
　よって、結論のとおり決定する。
【異議決定日】
平成１７年７月１５日（２００５．７．１５）
【訂正の要旨】
審決（決定）の【理由】欄参照。
（５４）【発明の名称】
点描画模様の装飾体
（５７）【特許請求の範囲】
　【請求項１】着色又は無着色の透明基板Ｂの表面に透明性を有する印刷インキにより着色又は無着色の透明性を有する多数の独立した凸状集光素Ａが一定の微細なピッチにて規則正しい配列状態に印刷され、該透明基板Ｂの裏面に前記表面の凸状集光素Ａ
と異
り複数の凸状集光素Ａを介して見える複数の着色画素Ｃを組み込んでなる画像の
し、当該画像が着色画素Ｃの拡大画像となるように
の拡大画像が表
　【請求項２】着色又は無着色の透明基板Ｂの表面に透明性を有する印刷インキにより着色又は無着色の透明性を有する多数の独立した凸状集光素Ａが一定の微細なピッチにて規則正しい配列状態に印刷され、該透明基板Ｂの裏面に透明性を有する印刷インキにより前記表面の凸状集光素Ａと同形状で同配列状態又は異形状で同配列状態の着色又は無着色の透明性を有する多数の凸状集光素Ａ′が印刷され、かつ、交差角度によ
り複数の凸状集光素Ａ又は複数の凸状集光素Ａ′を介して見える複数の凸状集光素Ａ′又は複数の凸状集光素Ａを組み込んでなる画像の
し、当該画像が凸状集光素Ａと凸状集光素Ａ′を合成した形態の拡大画像となるように
　【請求項３】着色又は無着色の透明基板Ｂの表面に透明性を有する印刷インキにより着色又は無着色の透明性を有する多数の独立した凸状集光素Ａが一定の微細なピッチにて規則正しい配列状態に印刷され、別体の透明基板Ｂ′の裏面に前記表面の凸状集光素Ａ
と異
り複数の凸状集光素Ａを介して見える複数の着色画素Ｃを組み込んでなる画像の
し、当該画像が該着色画素Ｃの拡大画像となるように
の拡大画像が表
　【請求項４】透明又は不透明な基板Ｄの表面に多数の着色画素Ｃが一定の微細なピッチにて規則正しい配列状態に印刷され、その上部に着色又は無着色の透明インキＥが全面印刷され、その上面に透明性を有する印刷インキにより前記着色画素Ｃと同形状で同配列状態又は異形状で同配列状態の透明性を有する多数の凸状集光素Ａが印刷され、かつ、交差角度によ
り複数の凸状集光素Ａを介して見える複数の着色画素Ｃの
、当該画像が着色画素Ｃの拡大画像となるように
の拡大画像が表
　【請求項５】凸状集光素Ａが半球状又は円弧状のものである請求項１〜請求項４記載の点描画模様の装飾体。
【発明の詳細な説明】
　【０００１】
　本発明は、網点のように規則的なパターンを重ねて交差角をずらすと振幅が大きくなったり小さくなったりして網点が揺らいで見える現象を利用して、立体的な点描画模様を現出せしめた装飾体に関するもので、各種の表示板、印刷物、ラベル、玩具等に利用できるものである。
　【０００２】
　【従来の技術】
　周知の通り、網ポジフィルムを２枚重ねてみると年輪状のパターンが見えるモアレ現象が生じ、又、規則的な網点パターンを重ねるとそのずれによって網点が大小に変化してぼやけた状態の水玉模様が見えるモアレ現象が生じるが、これらのモアレ現象は多色刷りの印刷物においても生じるものであって、このモアレ現象を利用した装飾表示板等の製品は一部に存在する。
　【０００３】
　また、立体的な水玉模様を現出させたものとしては、網状パターン印刷の上面に凹凸状のエンボス加工を施した透明プラスチックフィルムを重ね合せた形態のモアレ現象を利用した装飾表示板等の製品も知られている。
　【０００４】
　【発明が解決しようとする課題】
　前記多色刷りの印刷物に生じるモアレ現象は、表面から見て立体感を有する拡大画像を現出するものではなかった。
　【０００５】
　また、前記凹凸状のエンボス加工を施した透明プラスチックフィルムを用いた形態のものに生じるモアレ現象は、表面から見て立体感を有する拡大画像を現出するものではあるが、異なった凹凸状のエンボスを形成するためには、それぞれ異なった金型を用いてエンボス加工を施す必要があり、又、網状パターン印刷の表面に前記エンボス加工を施した透明プラスチックフィルムを貼り合せる必要のあるものであった。
　【０００６】
　従って、異った大きさの立体的で拡大された点描画模様を現出させるためにはプラスチックフィルムに対するエンボス加工の形状や大きさを変える必要があり、これは金型自体の変更を要求されるもので高価となり、あまり多種の拡大された立体感を有する点描画模様を現出させることはむずかしいものであった。
　【０００７】
　【課題を解決するための手段】
　本発明は前記技術課題を解決したものであって、透明基板（透明プラスチックフィルム）表面に施す凹凸状のエンボス加工に代えて、透明性を有する印刷インキにより凸レンズの役割を果たす凸状集光素を形成したことを特徴とし、該凸状集光素を介して現出させる着色画素（網状パターン印刷）についても、透明基板自体の裏面に直接印刷するか、別体のフィルムや基板に印刷したものを貼り合せることを基本的な手段として、前記着色画素を表面から見た際、拡大画像となって立体感を有し、かつ、視点を移動させると該拡大画像が揺らぎ感を呈する点描画模様を現出させるものである。
　【０００８】
　すなわち、本発明の１つは、着色又は無着色の透明基板Ｂの表面に透明性を有する印刷インキにより着色又は無着色の透明性を有する多数の独立した凸状集光素Ａが一定の微細なピッチにて規則正しい配列状態に印刷され、該透明基板Ｂの裏面に前記表面の凸状集光素Ａ
と異
り複数の凸状集光素Ａを介して見える複数の着色画素Ｃを組み込んでなる画像の
し、当該画像が着色画素Ｃの拡大画像となるように
の拡大画像が表
　【０００９】
　また、本発明の他の１つは、着色又は無着色の透明基板Ｂの表面に透明性を有する印刷インキにより着色又は無着色の透明性を有する多数の独立した凸状集光素Ａが一定の微細なピッチにて規則正しい配列状態に印刷され、該透明基板Ｂの裏面に透明性を有する印刷インキにより前記表面の凸状集光素Ａと同形状で同配列状態又は異形状で同配列状態の着色又は無着色の透明性を有する多数の凸状集光素Ａ′が印刷され、かつ、交差角度によ
り複数の凸状集光素Ａ又は複数の凸状集光素Ａ′を介して見える複数の凸状集光素Ａ′又は複数の凸状集光素Ａを組み込んでなる画像の
し、当該画像が凸状集光素Ａと凸状集光素Ａ′を合成した形態の拡大画像となるように
　【００１０】
　また、本発明のさらに他の１つは、着色又は無着色の透明基板Ｂの表面に透明性を有する印刷インキにより着色又は無着色の透明性を有する多数の独立した凸状集光素Ａが一定の微細なピッチにて規則正しい配列状態に印刷され、別体の透明基板Ｂ′の裏面に前記表面の凸状集光素Ａ
と異
り複数の凸状集光素Ａを介して見える複数の着色画素Ｃを組み込んでなる画像の
し、当該画像が該着色画素Ｃの拡大画像となるように
の拡大画像が表
　【００１１】
　また、本発明のさらに他の１つは、透明又は不透明な基板Ｄの表面に多数の着色画素Ｃが一定の微細なピッチにて規則正しい配列状態に印刷され、その上部に着色又は無着色の透明インキＥが全面印刷され、その上面に透明性を有する印刷インキにより前記着色画素Ｃと同形状で同配列状態又は異形状で同配列状態の透明性を有する多数の凸状集光素Ａが印刷され、かつ、交差角度によ
り複数の凸状集光素Ａを介して見える複数の着色画素Ｃの
し、当該画像が着色画素Ｃの拡大画像となるように
の拡大画像が表
　【００１２】
　【発明の実施の形態】
　本発明における基本的な実施の形態は、図１に示すように、着色又は無着色の透明基板Ｂ（以下「基板」と略す）の表面に、凸レンズの役割を果す透明性を有する着色又は無着色の多数の凸状集光素（以下「集光素」と略す）Ａを一定ピッチにて規則正しい配列状態に印刷し、該基板Ｂの裏面に、前記表面の集光素Ａと同配列状態の多数の着色画素（以下「画素」と略す）Ｃを表面の集光素Ａに対し交差角を少しずらせて印刷することにより、前記画素Ｃが、表面から見て立体感を有する拡大画像として現出し視点を移動させると該拡大画像が揺らぎ感を呈する点描画模様の装飾体が得られる。
　【００１３】
　本発明により現出される点描画模様とは、画素Ｃが一色の円形ドットの場合には、一定配列の画素Ｃと一定配列の集光素Ａの交差角のずれにより、大きさ、濃淡が変化し、規則性のある立体感を有する拡大された水玉模様が基板Ｂの上面に現出し、視点を移動させることにより前記拡大された水玉模様が移動して揺らぎ感のある模様となるものである（図５参照）。
　【００１４】
　さらに、基板Ｂの裏面に２種以上の一定配列の画素Ｃを用い、この画素Ｃに対し一定配列の集光素Ａの交差角を変化させて重ねると、画素Ｃを構成する色彩の点模様が交差点を中心として対称的に組み込みまれ、規則正しく配列した縞模様等種々の組み込み点描画となり、しかも、これらの点模様が視野を変えると揺らぎ感を生じる。
　【００１５】
　また、本発明における別の実施形態として、前記図１と同様に、着色又は無着色の基板Ｂの表面に、凸レンズの役割を果す透明性を有する着色又は無着色の多数の集光素Ａを一定ピッチにて規則正しい配列状態に印刷すると共に、該基板Ｂの裏面にも、前記図１の画素Ｃに代えて表面の集光素Ａと同形状で同配列状態又は異形状で同配列状態の凸レンズの役割を果す透明性を有する着色又は無着色の多数の集光素Ａ′（図示せず）を、表面の集光素Ａに対し交差角を少しずらせて印刷することにより、表裏いずれの面から見ても前記凸状集光素Ａと凸状集光素Ａ′が合成された形態の立体感を有する拡大画像が現出し、視点を移動させると該拡大画像が揺らぎ感を呈する点描画模様の装飾体が得られる。
　【００１６】
　前記の拡大された点描画模様の揺らぎ現象は、レンズ効果を有する集光素Ａ又はＡ′を介して見える残像効果による錯覚により生じると考えられる。又、点描画模様の立体感は、基板Ｂに一定ピッチにて規則正しい配列状態に印刷された集光素Ａのレンズ効果により、画素Ｃと視点（目）間に焦点の異なる像を形成する結果、ドット輪郭が拡大されてぼやけた特殊な模様になると考えられる。
　【００１７】
　本発明における基板Ｂの材質としては、可視光が透過すれば良く、着色されたものでも透明であれば無機質、有機質に限定されず、ガラス板、樹脂板、フィルム等任意のものが利用でき、入手や加工のしやすい点でポリエステルフィルム、アクリルフィルム、ポリカーボネート板等が便利であるが特に制限されない。
　【００１８】
　本発明の基板Ｂで重要なことは厚みである。この基板Ｂの厚みは、画素Ｃの直径、集光素Ａの直径と高さ等により点描画像の形態に大きく影響するため特定出来ないが、画素Ｃや集光素Ａの直径より厚い方が望ましい。
　【００１９】
　この基板Ｂは、厚ければ厚いほど揺らぎが顕著になるが、厚すぎると画像がぼやけたり、色がうすくなったり、又、取り扱いが不便となり、逆に薄すぎると点描効果が現れにくく、平印刷の感じとなり揺らぎも少なくなる。
　【００２０】
　従って、基板Ｂの厚さとしては１０μｍ〜１０ｍｍのものが適用できるが、好ましくは５０μｍ〜５ｍｍのものが実用的である。
　【００２１】
　本発明における画素Ｃには、図２に示すような円形、四角形、星形をはじめ三角形、楕円形、線形その他任意形状のものが適用可能であるが、画素Ｃの長径が０．１μｍ〜１ｍｍ、好ましくは１μｍ〜１００μｍで、基板Ｂの厚みの１／２以下、好ましくは１／５以下であり、画素Ｃが大きすぎると点描画の像が乱れ、あまり小さいのは印刷技術上の問題から制限される。
　【００２２】
　この画素Ｃの高さは特に制限されないが、印刷適性の関係から画素Ｃの直径の１／１０〜１／２程度が通常利用できる高さである。
　【００２３】
　集光素Ａ及び画素Ｃは、基板Ｂの平面に一定ピッチにて規則正しく多数配列されており、この集光素Ａと画素Ｃとの交差角（θ）は、４５°以上になると同じパターンの繰り返しとなるため、０＜θ＜４５°の範囲に限られる。
　【００２４】
　なお、画素Ｃを２種以上印刷する場合、隣接する画素Ｃ同志は互いに接していても、離れていても良いが、その間隔が画素Ｃの長径の２倍以上になると、点描画の像が乱れやすいのでそれ以内にすべきである。
　【００２５】
　また、前記２種以上の画素Ｃの組み合わせに際しては、同じ配向性でも又異なった配向性でもよいが、配向性を異なったものとすると集光素Ａとの交差角によっては画素Ｃの形状の明瞭さがなくなり複雑な模様となる。
　【００２６】
　なお、本発明では、２種以上の画素Ｃを組み合わせて用いる場合には、同一の基板Ｂの裏面に重ね刷りする方式でも良いが、図３に示すように、別の基板Ｂ′に印刷したものを基板Ｂの裏面に重ねても良い。
　【００２７】
　集光素Ａの形状・配列は、画素同様任意であり所望する点描画模様により決定されるが、一般に画素Ｃと同形状で同配列のものとするのが印刷上簡単であり、この場合でも、画素Ｃと集光素Ａとの交差角をずらす量により点描画模様として見える画素Ｃの大きさや輪郭の状態は変化する。
　【００２８】
　したがって、本発明においては基板Ｂの裏面に複数の画素Ｃを印刷する際、画素Ｃの形状として、各種の文字や図柄の部分とそれ以外の地部分とに、例えば同一ピッチにて同形状で同配列の画素Ｃを相互の角度を少しずらせて印刷し、基板Ｂの表面には前記裏面の複数の画素Ｃのうちいずれかの画素Ｃと同形状で同配列の集光素Ａを、前記複数の画素Ｃのいずれとも少し交差させて印刷することにより、前記文字や図柄の部分とそれ以外の地の部分とで図５に示すように異った大きさの拡大された点描画模様が得られ、かつ、それぞれの点描画模様における立体感と揺らぎ感についても異った状態を呈するものが得られる。
　【００２９】
　前記の場合、文字や図柄（図５中央の星形）の輪郭部分Ｆをベタ刷にて縁取して文字や図柄を引き立つようにしてもよいし、又、集光素Ａの印刷範囲を文字や図柄の部分の上面のみに設ければ、文字や図柄の部分のみに拡大された立体感と揺らぎ感を呈する点描画模様が得られる。
　【００３０】
　集光素Ａの材質は、前記基板Ｂと同様に可視光が透過すればよく、無色でも着色されたものでもよいが、印刷により凸状に設ける必要があるため、前記基板Ｂに対する印刷特性の良いインキであることが条件となる。従って、本発明においては密着性、透明性及び厚盛性のよいインキであれば特に限定されない。
　【００３１】
　また、この集光素Ａについても、２種以上の形状のものを重ならないように配列しても良いが、この場合画素Ｃとの組み合せにより複雑で多様な点描画模様となる。
　【００３２】
　さらに、集光素Ａとして着色透明インキを用いた場合や、基板Ｂとして着色透明基板を用いた場合には、それぞれ画素Ｃの色と合成された色彩の点描画模様が得られる。
　【００３３】
　なお、基板Ｂに対する集光素Ａや画素Ｃの形成手段としては、周知のスクリーン印刷や転写印刷が適用できる。
　【００３４】
　本発明により現出する点描画模様については、将来は光学理論により解明され、集光素や基板の屈折率、集光素の形状や高さ、基板の厚み、画素の形状、画素と集光素の配列や交差角により計算可能と考えられるが、現段階ではあまりにも複雑であり経験則に頼らざるを得ない。
　【００３５】
　しかし、点描画模様の決定法として、以下の方法が便利である。
　まず、２枚の薄い基板に集光素と画素を別々に印刷したものを用意し、画素面側に集光素を印刷した基板側の裏面が接する様に重ね、どちらか片方をずらして配向軸を交差させると模様が種々変化するので所望の点描画模様となる交差角を定め、製品としては、同一基板の表裏両面に、画素と集光素を前記交差角と同じだけずらせて直接印刷することにより前記と同様の点描画模様を再現させる。
　【００３６】
　この場合、２種の画素を利用するときには、まず、薄い２枚の基板に２種の画素を別々に印刷し、これを適宜ずらせて重ねると共に、この重ねた画素の上面に、集光素を印刷した基板の裏面を重ね、各基板をずらせて画素と集光素の交差角を変えることにより所望の点描画模様を決定し、製品としては、同一基板の裏面に２種の画素をずらせて重ね刷りし、その基板の表面に集光素を印刷して前記と同様の点描画模様を再現させる。
　【００３７】
　更に、これら集光素Ａ、基板Ｂ、画素Ｃの組み合せについては任意の組み合せ形態が可能であり、例えば図４に示すように基板Ｄの表面に画素Ｃを印刷し、その上部に透明インキＥを全面印刷し、その上面に集光素Ａを印刷する構成としても、前記と同様の点描画模様が得られる。
　【００３８】
　本発明においては、レンズ効果を果す集光素Ａを印刷により設けることができるため、前述のように１枚の基板Ｂに対し、部分的に集光素Ａの直径、高さ、色、形状、配列状態など任意、かつ容易に変えることができるため、装飾体としてのデザインの自由度が増す。
　【００３９】
　なお、前記原理を用い、画素側基板と集光素側基板の一方、又は双方を回転させる機構を採用することにより、動く点描画模様を得ることができるので玩具などに利用することも出来る。
　【００４０】
　以下、本発明の前記基本形態における各構成要素の種々の組み合せ条件による、点描画模様の立体感、画像の鮮明度、揺らぎ感、模様の大きさ等につき実験した結果を示す。
　【００４１】
　表１は、厚さ１ｍｍのポリカーボネート製基板Ｂの表面に、集光素Ａとして十条化成（株）製４１００番シリーズの透明インキを用い、ドットが３０線で直径２５０μｍ、６０線で直径１２０μｍ、１２０線で直径６０μｍ、高さをそれぞれ３０μｍの円弧状とし、画素としてそれぞれ前記と同じ直径で、高さ３μｍの円形ドットを印刷した場合における集光素Ａと画素Ｃの一軸交差による点描画模様の大きさを示す表で、この表をグラフ化したのが図６に示すものである。
　【００４２】
　【表１】
　【００４３】
　このグラフから、集光素Ａと画素Ｃの交差角度が同じ場合、模様の大きさは線数（ドットの数）に対して反比例すること、及び線数とパーセント（単位面積当りの集光素又は画素の占める割合）が同じ場合、模様の大きさは交差角に対して反比例することがわかる。
　【００４４】
　表２は、ポリカーボネート製基板Ｂの厚みによる点描画模様の見え方を示すもので、集光素Ａと画素Ｃが６０線３０％の条件にて形成された円形ドットを約３０ｃｍ離れて垂直方向から見た状態を示すものである。
　【００４５】
　【表２】
　【００４６】
　この表から拡大画像としての点描画模様の立体感については、基板Ｂの厚みが３ｍｍより厚くても、又、０．１８８ｍｍより薄くても悪くなり、揺らぎ感については、薄いものより厚いものの方が大きくなるが、視点がずれるにつれて画像の確認が困難になる。
　【００４７】
　なお、前記実験の際、集光素Ａの形態を半球状に近ずける程、立体感や揺らぎ感が大きくなることを確認した。従って、この集光素Ａの高さと基板Ｂの厚みにより点描画模様の立体感や揺らぎ感は影響を受ける。
　【００４８】
　表３は、厚さ１ｍｍのポリカーボネート製基板Ｂにおける集光素Ａ及び画素Ｃの線数とパーセントの関係による点描画模様の鮮明度を示すものである。
　【００４９】
　【表３】
　【００５０】
　この表から線数が６０で２０〜５０％、線数が９０で３０〜５０％、線数が１２０で４０〜５０％、線数が１３３で５０％のもの、すなわち、表中に◎と○にて示されたものが、立体感と画像の鮮明さにおいて優れていることがわかる。
　【００５１】
　しかし、これら表２、表３における良し悪しの評価は、複数の研究者の個人的な主感によるもので：表中△にて表示されたものでも画像の輪郭は多少ぼけるが、使用目的によっては利用価値を有するものである。
　【００５２】
　前記の結果は、集光素Ａとして、透明インキによりドットが３０線で直径２５０μｍ、６０線で直径１２０μｍ、１２０線で直径６０μｍ、高さをそれぞれ３０μｍの円形ドットを円弧状に印刷し、画素Ｃとして、それぞれ前記と同じ直径で、高さ３μｍの円形ドットを印刷した場合のものについて実験したものであるが、画素を図２の（Ｂ）に示す四角形や図２の（Ｃ）に示す星形にしても同じ傾向を示した。
　【００５３】
　【発明の効果】
　本発明によれば、透明基板の裏面に印刷された着色画素の形状や配列に応じて、該透明基板の表面にレンズの役割を果す各種の凸状集光素を、印刷により自由にずらし
て着色画素の拡大画像が現出できる
拡大画像が現出する
　【００５４】
　従って、本発明に係る装飾体は、興味をもって見られるものとなり、各種の表示板や印刷物、ラベル、玩具等に利用可能でその用途は広く、本発明の産業利用性は非常に大きいと言える。
【図面の簡単な説明】
　【図１】
　本発明の一例における拡大縦断側面図。
　【図２】
　本発明における画素の一例を示す平面図。
　【図３】
　本発明の他の一例における拡大縦断側面図。
　【図４】
　本発明のさらに他の一例における拡大縦断側面図。
　【図５】
　本発明の他の一例における平面図。
　【図６】
　本発明の集光素Ａと画素Ｃの一軸交差による点描画模様の大きさを示す表１のグラフ。
　【符号の説明】
　Ａ　凸状集光素
　Ｂ　透明基板
　Ｃ　着色画素
　Ｄ　基板
　Ｅ　透明インキ